(57)【要約】【課題】  一対の電線を接続するスリーブを覆うスリーブカバーについて、スリーブに対して着脱自在とすることで再利用を可能とするスリーブカバーを提供する。【解決手段】  スリーブ２０を覆う長さの絶縁性の筒状のスリーブカバー本体３０と、スリーブカバー本体３０の両端開口を開閉するとともに、ケーブルＣを挟持する把持部３３ｂ、３３ｂを有する挟持部材３２、３２と、を備え、把持部３３ｂ、３３ｂによるケーブルＣの挟持を外したときにスリーブ２０に対して移動可能とすることで、ケーブルＣを切断する時にスリーブカバー３０の取り外しを可能とする。【選択図】  図１
2020065418.tif 000002
【特許請求の範囲】
【請求項１】
スリーブを覆う長さの絶縁性の筒状のスリーブカバー本体と、
少なくとも一方のスリーブカバー本体開口を開閉するとともに、ケーブルを挟持する把持部を有する挟持部材と、を備え、
把持部によるケーブルの挟持を外したときにスリーブに対して移動可能とした、
ことを特徴とするスリーブカバー。
【請求項２】
前記スリーブカバー本体の一方の開口は前記挟持部材が設けられ、他方の開口は前記ケーブルとほぼ同じ径の内径が形成された閉塞板で覆われた、
ことを特徴とする請求項１に記載のスリーブカバー。
【請求項３】
前記挟持部材は、支軸により回動自在にされた一対のレバーからなり、前記レバーは前記ケーブルを挟持する前記把持部と前記把持部を開閉する柄部とを有し、前記柄部を掴むことにより把持部を開き、柄部を離すことにより把持部が閉じて前記ケーブルを挟持する
ことを特徴とする請求項１又は請求項２に記載のスリーブカバー。
【請求項４】
前記挟持部材は、操作軸と回転機構とを備え、
前記操作軸を回転させることにより回転機構を介して挟持部材の把持部を開閉し、前記把持部を閉じたときに前記ケーブルを挟持する
ことを特徴とする請求項１又は請求項２に記載のスリーブカバー。
【発明の詳細な説明】
【技術分野】
【０００１】
この発明は、一対の電線を接続したスリーブを保護する絶縁性のスリーブカバーに関するものである。
【背景技術】
【０００２】
電柱に設置された柱上変圧器や遮断器などを取り替える場合、高圧の配電線から分岐する引下線を切断することが行われる。切断された引下線は、柱上変圧器や遮断器の取替後、再度接続するために、切断した引下線の被覆を剥離して、一対の電線をスリーブの両端から挿入し、電線を突き合わせた状態にして、スリーブを圧縮し、一対の電線を電気的に接続している。
【０００３】
そして、スリーブによる電線の接続後、スリーブは絶縁性のスリーブカバーにより保護される。
【０００４】
図１１は、スリーブ及びスリーブカバーにより引下線（ケーブル）を接続したもので、特許文献１に記載されたものである。
【０００５】
引出線は一旦切断した後、まず、一対のケーブルのそれぞれ先端の被覆１１０、１１０を剥離して電線１００、１００を剥き出しにする。次に一対の電線１００、１００をスリーブ２００のスリーブ穴２１０、２１０にそれぞれ挿入して、スリーブ２００内で電線１００と１００とを突合せ状態にして、スリーブ２００を半径方向に圧着することにより電線１００、１００を接続する。
【０００６】
そして、スリーブ２００を絶縁性のスリーブカバー３００で覆う。このとき、スリーブ２００の長さＬｓよりもスリーブカバー３００の長さＬｃの方を長く設定して、スリーブ２００の保護を図っている。
【先行技術文献】
【特許文献】
【０００７】
【特許文献１】特開２０１５−１８６２８８号公報
【発明の概要】
【発明が解決しようとする課題】
【０００８】
しかしながら、特許文献１の発明にあっては、引下線（ケーブル）を切断するときに、スリーブカバー３００に覆われた部分、即ち、長さＬｃの部分を切り取っていた。
【０００９】
そのため、引下線（ケーブル）を再度接続するときは、切断する前の長さよりも、スリーブカバー３００の長さＬｃ分短くなってしまっていた。このように引下線（ケーブル）は柱上変圧器や遮断器などを取り替えるたびに切断されてしまうため、予め余裕を持って引下線（ケーブル）は設定されているが、上記取替作業のたびに、スリーブカバー３００の長さＬｃ分短くなってしまうという問題があった。
【００１０】
また、スリーブカバー３００は引下線（ケーブル）の断線のたびに切り取った電線１００、１００とスリーブ２００とともに廃棄されているという問題もあった。
【００１１】
そこで、本発明の目的は、柱上変圧器や遮断器などの取替時に、引下線（ケーブル）の廃棄する部分を極力、少なくするとともに、スリーブカバー３００を廃棄せず、再利用することができるスリーブカバーを提供することにある。
【課題を解決するための手段】
【００１２】
上記課題を解決するために、請求項１の発明は、スリーブを覆う長さの絶縁性の筒状のスリーブカバー本体と、少なくとも一方のスリーブカバー本体開口を開閉するとともに、ケーブルを挟持する挟持部材と、を備え、挟持部材によるケーブルの挟持を外したときにスリーブに対して移動可能とした、ことを特徴とする。
【００１３】
この発明によれば、挟持部材によるケーブルの挟持を外したときにスリーブを覆った位置から移動する。
【００１４】
請求項２の発明は、請求項１に記載のスリーブカバーにおいて、前記スリーブカバー本体の一方の開口は前記挟持部材が設けられ、他方の開口は前記ケーブルとほぼ同じ径の内径が形成された閉塞板で覆われた、ことを特徴とする
【００１５】
請求項３の発明は、請求項１又は請求項２に記載のスリーブカバーにおいて、前記挟持部材は、支軸により回動自在にされた一対のレバーからなり、前記レバーは前記ケーブルを挟持する前記把持部と前記把持部を開閉する柄部とを有し、前記柄部を掴むことにより把持部を開き、柄部を離すことにより把持部が閉じて前記ケーブルを挟持する、ことを特徴とする。
【００１６】
請求項４の発明は、請求項１又は請求項２に記載のスリーブカバーにおいて、前記挟持部材は、操作軸と回転機構とを備え、前記操作軸を回転させることにより回転機構を介して挟持部材の把持部を開閉し、前記把持部を閉じたときに前記ケーブルを挟持する、ことを特徴とする。
【発明の効果】
【００１７】
請求項１の発明によれば、スリーブカバーの挟持部材の把持部によりケーブルを挟持しているため、これを外せば、ケーブル及びスリーブからスリーブカバーを取り外すことができ、よって、スリーブカバーを廃棄せずに再利用することができる。また、スリーブカバーを取り外し自在にしたので、ケーブルを切断するときは、スリーブで圧着している電線の部分だけを切断することができ、切断する長さを極力短くすることができる。
【００１８】
請求項２の発明によれば、スリーブカバー本体の他方の開口をケーブルとほぼ同じ径の内径が形成された閉塞板で覆うようにしたので、可動部分が必要な挟持部材を少なく簡単な構造でありながら、スリーブカバーの再利用を可能にすることができる。
【００１９】
請求項３の発明によれば、前記挟持部材が、支軸により回動自在にされた一対のレバーからなり、前記レバーは前記ケーブルを挟持する前記把持部と前記把持部を開閉する柄部とを有し、前記柄部を掴むことにより把持部を開き、柄部を離すことにより把持部が閉じて前記ケーブルを挟持するようにしたので、簡単な構造で、スリーブに対して取り外し可能なスリーブカバーを実現できる。
【００２０】
請求項４の発明によれば、挟持部材の把持部を開閉する機構を操作軸と回転機構とで構成したので、把持部を開閉させる操作を簡単にすることができ、絶縁操作棒を用いた高所での作業などに適したものにすることができる。
【図面の簡単な説明】
【００２１】
【図１】図２乃至図７とともに本発明の実施の形態１を示し、本図は電線の接続前の状態を示す斜視図である。
【図２】図３乃至図５とともに、電線の接続からスリーブカバーによる保護までを順に説明するための拡大断面図であり、本図は一方の電線にスリーブカバーを挿入する前の状態を示すものである。
【図３】一対の電線にスリーブを挿入する前の状態を示すものである。
【図４】一対の電線をスリーブに挿入し、スリーブを圧着して電線を接続した状態を示すものである。
【図５】スリーブにスリーブカバーで覆った状態を示すものである。
【図６】図７とともにスリーブカバーを軸方向から見た正面図であり、本図はスリーブカバーの挟持部材を閉じケーブルを挟持した状態を示すものである。
【図７】スリーブカバーの挟持部材を開きケーブルの挟持を外した状態を示すものである。
【図８】本発明の実施の形態２を示すものであり、電線の接続前の状態を示す斜視図である。
【図９】図１０と共に本発明の実施の形態３を示しスリーブカバーを軸方向から見た正面図であり、本図は把持部を閉じた状態を示す図である。
【図１０】把持部を開いた状態を示す図である。
【図１１】従来のスリーブ及びスリーブカバーを示す要部断面図である。
【発明を実施するための形態】
【００２２】
以下、この発明を図示の実施の形態に基づいて説明する。
【００２３】
（実施の形態１）
図１は、図２乃至図７とともに本発明の実施の形態１を示し、本図は一対のケーブルの接続前の状態を示す斜視図であり、図２乃至図５は、ケーブルの接続からスリーブカバーによる保護までを順に説明するための拡大断面図である。
【００２４】
この実施の形態１は、高圧の配電線から分岐する引下線を切断した後、これらを再度接続するときに用いるスリーブカバー２０を示したものであり、図１において、右上及び左下に示したものが引下線を切断した後、これから再度接続する一対のケーブルＣ、Ｃである。
【００２５】
ケーブルＣ、Ｃは、その先端において被覆１１、１１が剥がされ電線１０、１０が露出した状態で、これらの先端同士が向い合った状態で位置され、ケーブルＣ、Ｃの先端間にスリーブ２０及びスリーブカバー３０が位置される。
【００２６】
スリーブ２０はケーブルＣ、Ｃの電線１０と電線１０とを電気的に接続するもので、円筒状の導電部材から構成され、導電部材としては、導電率が高く、かつ機械的強度の高いアルミニューム合金などが用いられている。
【００２７】
スリーブカバー３０は電線１０、１０を接続したスリーブ２０を覆い保護するもので、スリーブ２を外嵌する絶縁性部材からなる円筒状のカバー本体３１と、カバー本体３１の両端に設けられ、スリーブカバー３０をスリーブ２０に取付けたときにケーブルＣ、Ｃの被覆１１、１１を挟持する挟持部材３２、３２とを備える。
【００２８】
ケーブルＣ、Ｃの露出された電線１０、１０の長さはこれらを足した長さがスリーブ２０の長さとほぼ同じにされており、後述するように電線をスリーブ２０の両端のスリーブ穴２１、２１から挿入したときに、電線１０、１０の先端部が突き合わさるようになっている。また、スリーブ２０の内径は電線１０、１０の外径とほぼ同じかやや大きく形成されている。
【００２９】
スリーブカバー３０のカバー本体３１の長さはスリーブ２０と同じかやや長く形成され、スリーブ２０に取付けられたとき、スリーブ２０を覆うようになっている。また、カバー本体３１の内径はスリーブ２０の外径よりやや大きく形成されている。
【００３０】
スリーブカバー３０の挟持部材３２は左右のレバー３３、３３からなり、レバー３３の下半分が取手状の柄部３３ａに、上半分が半円弧状の把持部３３ｂに形成されている（図６、図７参照）。
【００３１】
左右のレバー３３、３３は、把持部３３ｂ、３３ｂと柄部３３ａ、３３ａとの境界部に支軸３５により回動自在に支持され、かつ、バネ（図示略）が内蔵されていて、左右のレバー３３、３３は把持部３３ｂ、３３ｂが閉じる方向に付勢されている。
【００３２】
挟持部材３２の左右レバー３３、３３の把持部３３ｂ、３３ｂを閉じた状態で把持部３３ｂ、３３ｂの中心には上記ケーブルＣ、Ｃの被覆１１、１１を挟持する円形の内側縁３４が形成されるようになっており、その内側縁３４の内径が上記被覆１１、１１の外径とほぼ同じかやや小さく形成されている。これにより、レバー３３、３３の把持部３３ｂ、３３ｂを閉じたときにケーブルＣ、Ｃの被覆１１、１１をほぼぴったり挟持するようになっている。なお、レバー３３の内側縁３４の周縁部位をゴム様の弾性材料で構成することが好ましい。
【００３３】
次に、ケーブルＣ、Ｃの接続する手順を図２乃至図５に従って説明する。なお、以下に説明する作業はいわゆる絶縁操作棒を用いて行われる。
【００３４】
先ず、一方のケーブルＣにその先端側からスリーブカバー３０に予め挿通しておく。図２は、電線１０をスリーブカバー３０に挿通する直前の状態を示す。このとき、スリーブカバー３０の挟持部材３２のレバー３３、３３の柄部３３ａ、３３ａを掴むことにより内側縁３４を開いた状態（図７の状態）にして挿通する。内側縁３４が閉じた状態では、電線１０及び被覆１１を挿入しにくいので、挟持部材３２の柄部３３ａ、３３ａを掴んで図７のように内側縁３４を拡げた状態にしておく。
【００３５】
図３は、スリーブカバー３０に挿通した一方のケーブルＣの電線１０と他方の電線１０とを向き合わせ、その間にスリーブ２０を位置させた状態を示す。次に、向い合わせた電線１０、１０を近づけ、スリーブ穴２１、２１にそれぞれ挿入する。
【００３６】
図４は、スリーブ穴２１、２１に電線１０、１０が挿入された状態を示し、スリーブ２０内では電線１０と電線１０との先端部同士が突き合わされた状態で、かつ、被覆１１、１１の先端がスリーブ２０のスリーブ穴２１、２１開口周縁に当接されている。
【００３７】
この状態でスリーブ２０を半径方向から圧縮し、スリーブ２０を潰すことにより電線１０と電線１０との電気的接続が図られる。
【００３８】
図５は、スリーブ２０により接続された状態の電線１０、１０に上記一方のケーブルＣに予め外嵌しておいたスリーブカバー３０を移動させて、スリーブ２０を覆った状態を示す。スリーブカバー３０の移動は、上記したのと同じように挟持部材３２の柄部３３ａを掴んで内側縁３４を開いた状態にして行う（図７参照）。そして、スリーブカバー３０を所定の位置、すなわち、スリーブ２０を覆った位置まで移動させた後、挟持部材３２の柄部３３ａを離すことにより挟持部材３２がその内側縁３４が閉じ（図６参照）、ケーブルＣの被覆１１を挟持することになる。
【００３９】
これにより、スリーブカバー３０は移動が阻止された状態でかつスリーブ２０を覆った状態に保持され、スリーブ２０はスリーブカバー３０により保護される。
【００４０】
このように、スリーブカバー３０は挟持部材３２、３２でケーブルＣ、Ｃの被覆１１、１１を挟持するだけなので、次に、このケーブルＣを切断しなければならなくなったとき、スリーブカバー３０を上述の手順とは逆の手順で取り外すことができる。
【００４１】
スリーブカバー３０をケーブルＣに対して着脱自在にしたことにより、再度接続するためにケーブルＣを切断する際にはスリーブ２０の長さ分Ｌｓだけを切断すれば良く、従来のようにスリーブカバー分の長さＬｃを切断する必要はない。このことは、引下線にとっては、電柱の柱上変圧器や遮断器などを取り替え毎に、切断を余儀なくされていたため、その切断長さを短くすることで引下線自体の長さに余裕ができてコストダウンに繋がる。
【００４２】
なお、上記実施の形態１のスリーブカバー３０において、挟持部材３２でケーブルＣ、Ｃの被覆１１、１１を挟持するようにしたが、本発明はこれに限らず、電線１０、１０を挟持するようにしても良い。要は、スリーブカバー３０でスリーブ２０を保護した状態、すなわち、挟持部材３２の内側縁３４で、電線１０又は被覆１１を挟持した状態で容易にスリーブカバー３０が移動できなければ良い。
【００４３】
（実施の形態２）
図８は本発明の実施の形態２を示す斜視図であり、この実施の形態２にかかるスリーブカバー４０は、上記実施の形態１においてスリーブカバー３０の両端に設けた挟持部材３２を、一方の端部のみに設け、他端は閉塞板４２にて構成したものである。
【００４４】
すなわち、スリーブカバー４０のカバー本体４１の一端は上記実施の形態１で説明した挟持部材３２が設けられ、他端はカバー本体４１の開口を覆うように閉塞板４２がカバー本体４１と一体に形成されており、該閉塞板４２にはケーブルＣの被覆１１の外径とほぼ同じかやや小さい挿入孔４３が形成されている。これにより、挿入孔４３にケーブルＣ、Ｃを挿通したときにその被覆１１、１１をほぼぴったり嵌るようになっている。これにより、閉塞板４２の挿入孔４３とケーブルＣの被覆１１との間には防塵、防水機能を備えている。なお、挿入孔４３の周縁部位をゴム様の弾性材料で構成することが好ましい。
【００４５】
しかして、このように実施の形態２のスリーブカバー４０にあっても上記実施の形態１のスリーブカバー３０と同様に、一旦は一方のケーブルＣ（図８の左下のケーブルＣ）に挿通させておき、スリーブ２０により一対の電線１０、１０の接続を終了した後、挟持部材３２側からスリーブ２０方向に移動させ、所定の位置で挟持部材３２の把持を解き、ケーブルＣの被覆１１を挟持することにより、保護状態を維持することができる。
【００４６】
実施の形態２のスリーブカバー４０にあっては、上記実施の形態１のスリーブカバー３０と比較して一方の挟持部材３２を閉塞板４２に変更したことにより、その分コストダウンを図ることができ、さらに、閉塞板４２側は可動部分がないため、スリーブ２０の保護状態をより高くすることができる。
【００４７】
（実施の形態３）
図９及び図１０は本発明の実施の形態３を示し、共にスリーブカバーを軸方向から見た正面図であり、図９は把持部を閉じた状態を、図１０は把持部を開いた状態を示す図である。
【００４８】
この発明の実施の形態３にかかるスリーブカバー５０は、上記実施の形態１にスリーブカバー３０と比較すると、挟持部材３２の把持部３３ｂを開閉させる機構を操作軸と回転機構とで構成した点で相違する。従って、その相違する点について主に説明し、他の部分については同一符号を付すことによりその説明は省略する。
【００４９】
スリーブカバー５０は、カバー本体５１と該カバー本体５１の両端開口を開閉する挟持部材５２、５２（図９、図１０では一方のみ記す。）とを有する。
【００５０】
挟持部材５２は上記実施の形態１における左右のレバー３３のうち、把持部３３ｂ、３３ｂとほぼ同じ形状の把持部５２ｂ、５２ｂが支軸５３により回動自在に支持されて構成され、支軸５３はカバー本体５１に支持されている。
【００５１】
カバー本体５１の開口端部には回転機構５４が設けられ、該回転機構５４に上記把持部３３ｂ、３３ｂが連結されているとともに、回転機構５４には下方に伸びる操作軸５５が設けられている。
【００５２】
しかして、操作軸５５を回転操作すると、回転機構５４を介して把持部５２ｂ、５２ｂが支軸５３を中心に回動して、把持部５２ｂ、５２ｂが開閉動作をするようになっている。そして、把持部５２ｂ、５２ｂの内側縁５６が閉じたときにケーブルＣを挟持する。
【００５３】
上述のように、スリーブカバー５０のスリーブ２０への取り付け作業などは、間接活線作業で絶縁操作棒により操作を行うことになるが、操作軸５５に絶縁操作棒の操作工具を一旦連結してしまえば、操作軸５５を回転操作することは比較的容易に行うことができる。
【００５４】
そして、スリーブカバー５０によるスリーブ２０の保護は、操作軸５５を操作し、把持部３３ｂ、３３ｂを開いた状態にする。この状態は維持したままにすることができるため、スリーブカバー５０内にスリーブ２０及びケーブルＣを挿入することが容易にできる。
【００５５】
次に、スリーブカバー５０をスリーブ２０及びケーブルＣに対して所定の位置まで移動させた後、再び操作軸５５を操作して把持部５２ｂ、５２ｂを閉じ、内側縁５６でケーブルＣの被覆１１を挟持するとともに、スリーブカバー５０の一方の開口を閉塞するようになっている。
【００５６】
以上、この発明の実施の形態について説明したが、具体的な構成は、前記実施の形態に限られるものではなく、この発明の要旨を逸脱しない範囲の設計の変更等があっても、この発明に含まれる。
【符号の説明】
【００５７】
Ｃ          ケーブル
２０        スリーブ
３０        スリーブカバー
３１        カバー本体
３２        挟持部材
３３        レバー
３３ａ      柄部
３３ｂ      把持部
３４        内側縁
３５        支軸
４０        スリーブカバー
４１        カバー本体
４２        閉塞板
４３        挿入孔
５０        スリーブカバー
５１        カバー本体
５２        挟持部材
５２ｂ      把持部
５３        支軸
５４        回転機構
５５        操作軸
５６        内側縁
【図１】
2020065418.tif 000003
【図２】
2020065418.tif 000004
【図３】
2020065418.tif 000005
【図４】
2020065418.tif 000006
【図５】
2020065418.tif 000007
【図６】
2020065418.tif 000008
【図７】
2020065418.tif 000009
【図８】
2020065418.tif 000010
【図９】
2020065418.tif 000011
【図１０】
2020065418.tif 000012
【図１１】
2020065418.tif 000013